(57)【要約】    【課題】上下方向の押圧接合だけでなく、横方向のスライド接合も可能なボタンを提供する。    【解決手段】  雄ボタン（４）は、係合突起部（４４）を有する雄部材（４１）を有する。雌ボタン（２）は、係合受容部（２８）を有する雌部材（２２）を有する。前記雌部材（２２）は、側面から見てＵ字状に折り曲げられ、平面から見てＵ字状に切り取られて形成された係合受容部（２８）を有する。前記係合受容部の左右壁（２９，３０）は係合方向に向かって起立していることが好ましい。前記係合受容部の左右壁（２９，３０）には複数のスリット３１，３２を入れることが好ましい。【選択図】図５
2008023103.tif 000002
【特許請求の範囲】
【請求項１】
雌雄ボタン（２，４）からなり、
前記雄ボタン（４）は係合突起部（４４）を有する雄部材（４１）を有し、
前記雌ボタン（２）は係合受容部（２８）を有する雌部材（２２）を有し、
前記係合受容部（２８）は、側面から見てＵ字状に折り曲げられ、平面から見てＵ字状に切り取られて形成されている
ことを特徴とする、スライド及び押圧接合接合が可能なボタン。
【請求項２】
前記係合受容部（２８）の左右壁（２９，３０）が係合方向に向かって起立している請求項１記載のボタン。
【請求項３】
前記係合受容部（２８）の左右壁（２９，３０）に複数のスリット（３１，３２）が設けられている請求項１又は２記載のボタン。
【請求項４】
雌雄部材（２２，４１）を係合させたとき、前記係合受容部（２８）の左右壁（２９，３０）を越えて、雄部材（４１）を前記側面Ｕ字の奥方向へスライドさせることにより、ロック状態となる請求項１ないし３の何れかに記載のボタン。
【発明の詳細な説明】
【技術分野】
【０００１】
本発明は衣服用ボタンに関し、特に、雄部材と雌部材からなるものであって、横方向のスライド接合だけでなく、上下方向の押圧接合も可能なボタンに関する。
【背景技術】
【０００２】
スキーパンツなどでは、開閉部にボタンを複数段設け、上段に押圧式ボタンを下段にスライド式ボタンを取り付けているものがある。上段で着脱しやすいものを採用し、下段では横方向にある程度の動きを許容するものを採用することにより、両方のよいところを組み合わせているのである。スライド接合式ボタンの例として下記特許文献１のような発明が公知である。
【特許文献１】実公平１−８１８３
【発明の開示】
【発明が解決しようとする課題】
【０００３】
上記従来技術のスキーパンツでは、当然ながら２種類のボタンを用意しておかなければならない。
【０００４】
本発明は、１種類のボタンを用意することにより、２種類のボタンを使用する上記従来技術と同じ機能を有するボタンを提供することを目的とする。
【課題を解決するための手段】
【０００５】
本発明の、スライド及び押圧接合が可能なボタンは、雌雄ボタンからなり、前記雄ボタンは係合突起部を有する雄部材を有し、前記雌ボタンは係合受容部を有する雌部材を有し、前記係合突起部は、側面から見てＵ字状に折り曲げられ、平面から見てＵ字状に切り取られて形成されていることを特徴とする。
【発明の効果】
【０００６】
本発明においては、雌ボタンの係合受容部は側面から見てＵ字状に折り曲げられ、平面から見てＵ字状の係合受容部が設けられているので、上下方向にも横方向にも係合用の隙間が形成されている。その結果、本発明のボタンは、横方向のスライド接合だけでなく、上下方向の押圧接合も可能である。さらに、本発明のボタンは、横方向の強度が強化されると共に、押圧式ボタンによる着脱の手軽さも兼ね備えたものとなった。
【発明を実施するための最良の形態】
【０００７】
係合受容部の左右壁には、係合方向に向かって起立させると共に、複数のスリットを入れることが好ましい。そのようにすることにより、係合部にバネ性を持たせることができる。雌雄部材を係合させた後に、その左右壁のバネ力に抗して雄部材を側面Ｕ字の奥方向へスライドさせることによりロック状態とし、逆方向にスライドさせることによりロック状態を解除することができる。
【実施例１】
【０００８】
以下、添付の図面に基づき、本発明の実施例を説明する。
【０００９】
図１は、本発明のボタンを使用したスキーパンツＳの開閉部を示す正面図である。従来技術では、この種のスキーパンツで２種類のボタンを使用し、例えば上２段に押圧式ボタンを取り付け、最下段にスライド式ボタンを取り付けているものがあった。本発明では、図示するように雌雄ボタン２，４からなる１種類のボタン１を使用する。
【００１０】
図２は、本発明のボタンの拡大図である。雌ボタンの詳細を示すと共に、上下方向の押圧接合だけでなく、横方向のスライド接合も可能であることを示している。
【００１１】
図３は雌ボタン２を示し、（ａ）は平面図、（ｂ）は側面図、（ｃ）は底面図である。この図に示すように、雌ボタン２は、表面装飾部材２１と雌部材２２が、生地２３を介して、相互にかしめられている。
【００１２】
表面装飾部材２１は結合脚部２４を有する円板で、必要に応じて正面に装飾や刻印を加えることができる。
【００１３】
雌部材２２は、図３（ｂ）に示すように、側面から見てＵ字状に折り曲げた金属板であり、生地側の面２５には表面装飾部材の脚部２４と結合させるための孔２７が設けられている。その反対側の面２６は、図３（ｃ）に示すように、平面から見てＵ字状の係合受容部２８が設けられている。係合受容部の左右壁２９，３０は、図２に最もよく示されているように、複数のスリット３１，３２が入れられるとともに、内側（係合方向）に向かって起立している。雌部材２２を生地４２に取り付けたとき、雌部材２２が自由回転しないように、爪３３を生地４２に食い込ませることが好ましい。
【００１４】
図４は雄ボタン４を示し、（ａ）は平面図、（ｂ）は側面図、（ｃ）は底面図である。この図４に示すように、雄ボタン４は、ボタンの雄部材４１が、生地４２を介して、裏側の裏止め材４５にかしめられた構造である。
【００１５】
雄部材４１は、台座４３付き係合突起部４４からなる。雌雄ボタン２，４が接合したとき、抜けにくくするため、係合突起部４４は先端が根元部よりも太くなっている。
【００１６】
裏止め材４５は普通外部から見えないので、装飾を施さない金属円板でよい。
【００１７】
これら雌雄ボタン２，４を接合すると図６のようになる。その接合方法には、図５（ａ）と（ｂ）に示す２種類がある。
【００１８】
図５（ａ）のやり方は、雄部材４１を上下方向に押圧して雌部材に係合させる方法である。図５（ｂ）のやり方は、雄部材４１を横方向にスライドして雌部材に係合させる方法である。どちらを選択するかは、着用者の自由である。
【００１９】
縦方向にせよ、横方向にせよ、最初は図６（ａ）に示すように、雄部材４１が係合受容部の左右壁２９，３０を押し広げながら係合する。その後、指で雄部材４１を雌部材２２の中で矢印の方向に動かすと、最も奥まで進み、その状態では、雄部材４１の係合突起４４のやや細くなった根元４４１が係合受容部２８の壁と接触する。係合突起４４の先端４４２の直径は係合受容部２８の幅よりも大きいので、係合突起４４は上下方向に移動することができず、ロック状態となる（図６（ｂ））。
【００２０】
係合を外すときは、まず前記ロック状態を逆の操作で解除する。その後、上下方向に引き剥がしてもよいし、横方向にスライドさせてもよい。
【図面の簡単な説明】
【００２１】
【図１】本発明のボタンを使用したスキーパンツＳの開閉部を示す正面図である。
【図２】本発明のボタンの拡大図である。
【図３】雌ボタン２を示し、（ａ）は平面図、（ｂ）は側面図、（ｃ）は底面図である。
【図４】雄ボタン４を示し、（ａ）は平面図、（ｂ）は側面図、（ｃ）は底面図である。
【図５】雌雄ボタンの係合方式を示す側面図である。
【図６】雌雄ボタンの係合状態を示す断面図である。（ａ）はロック前、（ｂ）はロック後である。
【符号の説明】
【００２２】
１     ボタン
２     雌ボタン
２１   表面装飾部材
２２   雌部材
２３   生地
２４   脚部
２８   係合受容部
４     雄ボタン
４１   雄部材
４２   生地
４３   台座
４４   係合突起部
４５   裏止め材
２９，３０    左右壁
Ｓ     スキーパンツ
【図１】
2008023103.tif 000003
【図２】
2008023103.tif 000004
【図３】
2008023103.tif 000005
【図４】
2008023103.tif 000006
【図５】
2008023103.tif 000007
【図６】
2008023103.tif 000008